(57)【要約】  請求不正防止方法、装置、機器及び記憶媒体であって、該方法は、医療データの採用に応じて医師患者サブグラフ、医師オーダサブグラフ及び融合マクログラフを生成するステップと、複数のコミュニティ閉ループを含む患者関係ネットワークを生成するように融合マクログラフに基づいて医師患者サブグラフを投影するステップと、患者関係ネットワーク内の任意の２つのノード間の類似度及び各コミュニティ閉ループに対応する平均類似度を計算するステップと、平均類似度に基づいて保険金詐欺行為を決定するステップと、を含む。
2021532483.tif 000002
【特許請求の範囲】
【請求項１】
グラフ計算技術に基づいて、医療データから医師患者サブグラフ及び医師オーダサブグラフを生成し、前記医師患者サブグラフ及び医師オーダサブグラフから融合マクログラフを生成するステップと、
複数のコミュニティ閉ループを含む患者関係ネットワークを生成するように、前記融合マクログラフに基づいて前記医師患者サブグラフを投影するステップと、
前記患者関係ネットワーク内の任意の２つのノードに対応する患者の属性パラメータに基づいて、類似度計算式を用いて前記患者関係ネットワーク内の任意の２つのノード間の類似度を計算するステップと、
平均類似度計算式に基づいて、前記類似度から各前記コミュニティ閉ループに対応する平均類似度を計算するステップと、
前記平均類似度に基づいて保険金詐欺行為を決定するステップと、を含み、
ここで、前記類似度計算式は以下のようになり、
2021532483.tif 000024
【請求項２】
グラフ計算技術に基づいて、医療データから医師患者サブグラフ及び医師オーダサブグラフを生成し、前記医師患者サブグラフ及び医師オーダサブグラフから融合マクログラフを生成する前記ステップは、
医療データを取得し、前記医療データを分類して分類データを得るステップと、
前記分類データの関連関係に基づいて患者医師関係テーブルと医師オーダ関係テーブルとを含む分類関係テーブルを生成するステップと、
グラフ計算技術に基づいて、前記分類関係テーブルから医師患者サブグラフと医師オーダサブグラフとを含む２部グラフを生成するステップと、
グラフ計算技術におけるモデル融合技術に基づいて、前記医師患者サブグラフと医師オーダサブグラフとを融合して融合マクログラフを生成するステップと、を含む、請求項１に記載の請求不正防止方法。
【請求項３】
患者関係ネットワークを生成するように、前記融合マクログラフに基づいて前記医師患者サブグラフを投影する前記ステップは、
前記融合マクログラフに基づいて患者間に存在する類似受診行為を決定するステップと、
患者関係ネットワークを生成するように、前記患者間に存在する類似受診行為に基づいて前記医師患者サブグラフを投影するステップと、を含む、請求項１又は２に記載の請求不正防止方法。
【請求項４】
患者関係ネットワークを生成するように、前記患者間に存在する類似受診行為に基づいて前記医師患者サブグラフを投影する前記ステップは、
複数の患者関係ネットワークを得るように、前記患者間に存在する類似受診行為に基づいて、前記医師患者サブグラフを投影するステップと、
前記患者関係ネットワーク内の関係する医師をクラスタリングして医師クラスタ関係を得るステップと、
患者関係ネットワークを生成するように、前記医師クラスタ関係に基づいて、複数の前記患者関係ネットワークを接続するステップと、を含む、請求項３に記載の請求不正防止方法。
【請求項５】
前記患者関係ネットワーク内の任意の２つのノード間の類似度を計算する前記ステップは、
類似度計算式に基づいて、前記患者関係ネットワーク内の任意の２つのノードに対応する患者の特徴属性及び受診行為属性から前記患者関係ネットワーク内の任意の２つのノード間の類似度を計算するステップを含む、請求項１に記載の請求不正防止方法。
【請求項６】
前記患者関係ネットワーク内の任意の２つのノード間の類似度を計算する前記ステップの後、前記類似度に基づいて前記患者関係ネットワーク内の各エッジに対応する重み値を更新するステップをさらに含み、
前記類似度から各前記コミュニティ閉ループに対応する平均類似度を計算する前記ステップは、平均類似度計算式に基づいて、患者関係ネットワークにおける更新後の重み値から各前記コミュニティ閉ループに対応する平均類似度を計算するステップを含む、請求項５に記載の請求不正防止方法。
【請求項７】
前記分類データは、患者基本情報と、医師基本情報と、医師オーダ情報とを含む、請求項２に記載の請求不正防止方法。
【請求項８】
グラフ計算技術に基づいて、医療データから医師患者サブグラフ及び医師オーダサブグラフを生成し、前記医師患者サブグラフ及び医師オーダサブグラフから融合マクログラフを生成するために用いられるグラフ生成ユニットと、
複数のコミュニティ閉ループを含む患者関係ネットワークを生成するように、前記融合マクログラフに基づいて前記医師患者サブグラフを投影するために用いられるネットワーク生成ユニットと、
前記患者関係ネットワーク内の任意の２つのノードに対応する患者の属性パラメータに基づいて、類似度計算式を用いて前記患者関係ネットワーク内の任意の２つのノード間の類似度を計算するために用いられる第１の計算ユニットと、
平均類似度計算式に基づいて、前記類似度から各前記コミュニティ閉ループに対応する平均類似度を計算するために用いられる第２の計算ユニットと、
前記平均類似度に基づいて保険金詐欺行為を決定するために用いられる保険金詐欺決定ユニットと、を含み、
ここで、前記類似度計算式は以下のようになり、
2021532483.tif 000025
【請求項９】
メモリと、プロセッサと、を含むコンピュータ機器であって、
前記メモリは、コンピュータプログラムを記憶するために用いられ、
前記プロセッサは、前記コンピュータプログラムを実行し、かつ前記コンピュータプログラムを実行するときに、
グラフ計算技術に基づいて、医療データから医師患者サブグラフ及び医師オーダサブグラフを生成し、前記医師患者サブグラフ及び医師オーダサブグラフから融合マクログラフを生成するステップと、
複数のコミュニティ閉ループを含む患者関係ネットワークを生成するように、前記融合マクログラフに基づいて前記医師患者サブグラフを投影するステップと、
前記患者関係ネットワーク内の任意の２つのノードに対応する患者の属性パラメータに基づいて、類似度計算式を用いて前記患者関係ネットワーク内の任意の２つのノード間の類似度を計算するステップと、
平均類似度計算式に基づいて、前記類似度から各前記コミュニティ閉ループに対応する平均類似度を計算するステップと、
前記平均類似度に基づいて保険金詐欺行為を決定するステップと、を実現するために用いられ、
ここで、前記類似度計算式は以下のようになり、
2021532483.tif 000026
【請求項１０】
前記プロセッサによって実現される、グラフ計算技術に基づいて、医療データから医師患者サブグラフ及び医師オーダサブグラフを生成し、前記医師患者サブグラフ及び医師オーダサブグラフから融合マクログラフを生成する前記ステップは、
医療データを取得し、前記医療データを分類して分類データを得るステップと、
前記分類データの関連関係に基づいて患者医師関係テーブルと医師オーダ関係テーブルとを含む分類関係テーブルを生成するステップと、
グラフ計算技術に基づいて、前記分類関係テーブルから医師患者サブグラフと医師オーダサブグラフとを含む２部グラフを生成するステップと、
グラフ計算技術におけるモデル融合技術に基づいて、前記医師患者サブグラフと医師オーダサブグラフとを融合して融合マクログラフを生成するステップと、を含む、請求項９に記載のコンピュータ機器。
【請求項１１】
前記プロセッサによって実現される、患者関係ネットワークを生成するように、前記融合マクログラフに基づいて前記医師患者サブグラフを投影する前記ステップは、
前記融合マクログラフに基づいて患者間に存在する類似受診行為を決定するステップと、
患者関係ネットワークを生成するように、前記患者間に存在する類似受診行為に基づいて前記医師患者サブグラフを投影するステップと、を含む、請求項９又は１０に記載のコンピュータ機器。
【請求項１２】
前記プロセッサによって実現される、患者関係ネットワークを生成するように、前記患者間に存在する類似受診行為に基づいて前記医師患者サブグラフを投影する前記ステップは、
複数の患者関係ネットワークを得るように、前記患者間に存在する類似受診行為に基づいて、前記医師患者サブグラフを投影するステップと、
前記患者関係ネットワーク内の関係する医師をクラスタリングして医師クラスタ関係を得るステップと、
患者関係ネットワークを生成するように、前記医師クラスタ関係に基づいて、複数の前記患者関係ネットワークを接続するステップと、を含む、請求項１１に記載のコンピュータ機器。
【請求項１３】
前記プロセッサによって実現される、前記患者関係ネットワーク内の任意の２つのノード間の類似度を計算する前記ステップは、
類似度計算式に基づいて、前記患者関係ネットワーク内の任意の２つのノードに対応する患者の特徴属性及び受診行為属性から前記患者関係ネットワーク内の任意の２つのノード間の類似度を計算するステップを含む、請求項９に記載のコンピュータ機器。
【請求項１４】
前記プロセッサによって実現される、前記患者関係ネットワーク内の任意の２つのノード間の類似度を計算する前記ステップの後のステップは、前記類似度に基づいて前記患者関係ネットワーク内の各エッジに対応する重み値を更新するステップをさらに含み、
前記プロセッサによって実現される、前記類似度から各前記コミュニティ閉ループに対応する平均類似度を計算する前記ステップは、平均類似度計算式に基づいて、患者関係ネットワークにおける更新後の重み値から各前記コミュニティ閉ループに対応する平均類似度を計算するステップを含む、請求項１３に記載のコンピュータ機器。
【請求項１５】
コンピュータ読み取り可能な記憶媒体であって、前記コンピュータ読み取り可能な記憶媒体にコンピュータプログラムが記憶されており、前記コンピュータプログラムがプロセッサによって実行されると、
グラフ計算技術に基づいて、医療データから医師患者サブグラフ及び医師オーダサブグラフを生成し、前記医師患者サブグラフ及び医師オーダサブグラフから融合マクログラフを生成するステップと、
複数のコミュニティ閉ループを含む患者関係ネットワークを生成するように、前記融合マクログラフに基づいて前記医師患者サブグラフを投影するステップと、
前記患者関係ネットワーク内の任意の２つのノードに対応する患者の属性パラメータに基づいて、類似度計算式を用いて前記患者関係ネットワーク内の任意の２つのノード間の類似度を計算するステップと、
平均類似度計算式に基づいて、前記類似度から各前記コミュニティ閉ループに対応する平均類似度を計算するステップと、
前記平均類似度に基づいて保険金詐欺行為を決定するステップと、を前記プロセッサに実現させ、
ここで、前記類似度計算式は以下のようになり、
2021532483.tif 000027
【請求項１６】
前記プロセッサによって実現される、グラフ計算技術に基づいて、医療データから医師患者サブグラフ及び医師オーダサブグラフを生成し、前記医師患者サブグラフ及び医師オーダサブグラフから融合マクログラフを生成する前記ステップは、
医療データを取得し、前記医療データを分類して分類データを得るステップと、
前記分類データの関連関係に基づいて患者医師関係テーブルと医師オーダ関係テーブルとを含む分類関係テーブルを生成するステップと、
グラフ計算技術に基づいて、前記分類関係テーブルから医師患者サブグラフと医師オーダサブグラフとを含む２部グラフを生成するステップと、
グラフ計算技術におけるモデル融合技術に基づいて、前記医師患者サブグラフと医師オーダサブグラフとを融合して融合マクログラフを生成するステップと、を含む、請求項１５に記載のコンピュータ読み取り可能な記憶媒体。
【請求項１７】
前記プロセッサによって実現される、患者関係ネットワークを生成するように、前記融合マクログラフに基づいて前記医師患者サブグラフを投影する前記ステップは、
前記融合マクログラフに基づいて患者間に存在する類似受診行為を決定するステップと、
患者関係ネットワークを生成するように、前記患者間に存在する類似受診行為に基づいて前記医師患者サブグラフを投影するステップと、を含む、請求項１５又は１６に記載のコンピュータ読み取り可能な記憶媒体。
【請求項１８】
前記プロセッサによって実現される、患者関係ネットワークを生成するように、前記患者間に存在する類似受診行為に基づいて前記医師患者サブグラフを投影する前記ステップは、
複数の患者関係ネットワークを得るように、前記患者間に存在する類似受診行為に基づいて、前記医師患者サブグラフを投影するステップと、
前記患者関係ネットワーク内の関係する医師をクラスタリングして医師クラスタ関係を得るステップと、
患者関係ネットワークを生成するように、前記医師クラスタ関係に基づいて、複数の前記患者関係ネットワークを接続するステップと、を含む、請求項１７に記載のコンピュータ読み取り可能な記憶媒体。
【請求項１９】
前記プロセッサによって実現される、前記患者関係ネットワーク内の任意の２つのノード間の類似度を計算する前記ステップは、
類似度計算式に基づいて、前記患者関係ネットワーク内の任意の２つのノードに対応する患者の特徴属性及び受診行為属性から前記患者関係ネットワーク内の任意の２つのノード間の類似度を計算するステップを含む、請求項１５に記載のコンピュータ読み取り可能な記憶媒体。
【請求項２０】
前記プロセッサによって実現される、前記患者関係ネットワーク内の任意の２つのノード間の類似度を計算する前記ステップの後のステップは、前記類似度に基づいて前記患者関係ネットワーク内の各エッジに対応する重み値を更新するステップをさらに含み、
前記プロセッサによって実現される、前記類似度から各前記コミュニティ閉ループに対応する平均類似度を計算する前記ステップは、平均類似度計算式に基づいて、患者関係ネットワークにおける更新後の重み値から各前記コミュニティ閉ループに対応する平均類似度を計算するステップを含む、請求項１９に記載のコンピュータ読み取り可能な記憶媒体。
【発明の詳細な説明】
【技術分野】
【０００１】
＜関連出願の相互参照＞
本願は、２０１９年１月２３日に中国国家知識産権局に提出された、出願番号２０１９１００６４２２３．７、発明の名称「グラフ計算技術に基づく請求不正防止方法、装置、機器及び記憶媒体」の中国特許出願の優先権を主張し、その内容の全てが参照によって本願に組み込まれる。
【０００２】
本願は、インターネット金融分野に関し、特に、グラフ計算技術に基づく請求不正防止方法、装置、機器及び記憶媒体に関する。
【背景技術】
【０００３】
現在、金融社会保障分野では、データ量が膨大であり、データの複雑さが非常に高い。グラフ計算技術は、従来のデータベース技術と比較して、データ間の関連価値をより効率的にマイニングすることができる。グラフデータでは、一般に、ノード（Ｖｅｒｔｅｘ）でエンティティオブジェクトを表し、エッジ（Ｅｄｇｅ）でエンティティオブジェクト間のコネクションを表し、異なるアプリケーションシナリオに応じて異なるタイプのグラフデータを構築し、このようなグラフデータは複雑な現実ネットワークやモデルを構築し、現実問題を完全にマッピングすることができる。金融社会保障の安全をよりよく維持し、金融システムを保障し、保険金詐欺などの違法犯罪行為、特に患者団体の保険金詐欺行為を取り締まることを目的とする。しかし、現在の保険金詐欺行為の決定には全て人手による調査が必要であり、人手による調査は迅速かつ正確に保険金詐欺行為を決定することが困難であり、時間と労力がかかる。したがって、患者団体の保険金詐欺行為を見分けるために、グラフ計算技術に基づく請求不正防止方法を提供する必要がある。
【発明の概要】
【発明が解決しようとする課題】
【０００４】
本願は、保険金詐欺を見分けるための重要な参考となる、グラフ計算技術に基づく請求不正防止方法、装置、機器及び記憶媒体を提供する。
【課題を解決するための手段】
【０００５】
第１の態様によれば、本願は、
グラフ計算技術に基づいて、医療データから医師患者サブグラフ及び医師オーダサブグラフを生成し、前記医師患者サブグラフ及び医師オーダサブグラフから融合マクログラフを生成するステップと、
複数のコミュニティ閉ループを含む患者関係ネットワークを生成するように、前記融合マクログラフに基づいて前記医師患者サブグラフを投影するステップと、
前記患者関係ネットワーク内の任意の２つのノードに対応する患者の属性パラメータに基づいて、前記患者関係ネットワーク内の任意の２つのノード間の類似度を計算するステップと、
前記類似度から各前記コミュニティ閉ループに対応する平均類似度を計算するステップと、
前記平均類似度に基づいて保険金詐欺行為を決定するステップと、を含むグラフ計算技術に基づく請求不正防止方法を提供する。
【０００６】
第２の態様によれば、本願は、
グラフ計算技術に基づいて、医療データから医師患者サブグラフ及び医師オーダサブグラフを生成し、前記医師患者サブグラフ及び医師オーダサブグラフから融合マクログラフを生成するために用いられるグラフ生成ユニットと、
複数のコミュニティ閉ループを含む患者関係ネットワークを生成するように、前記融合マクログラフに基づいて前記医師患者サブグラフを投影するために用いられるネットワーク生成ユニットと、
前記患者関係ネットワーク内の任意の２つのノードに対応する患者の属性パラメータに基づいて、前記患者関係ネットワーク内の任意の２つのノード間の類似度を計算するために用いられる第１の計算ユニットと、
前記類似度から各前記コミュニティ閉ループに対応する平均類似度を計算するために用いられる第２の計算ユニットと、
前記平均類似度に基づいて保険金詐欺行為を決定するために用いられる保険金詐欺決定ユニットと、を含むグラフ計算技術に基づく請求不正防止装置をさらに提供する。
【０００７】
第３の態様によれば、本願は、コンピュータプログラムを記憶するために用いられるメモリと、前記コンピュータプログラムを実行し、前記コンピュータプログラムを実行するときに上記のような請求不正防止方法を実現するために用いられるプロセッサと、を含むコンピュータ機器をさらに提供する。
【０００８】
第４の態様によれば、本願は、プロセッサによって実行されると、上記のような請求不正防止方法を前記プロセッサに実現させるコンピュータプログラムを記憶したコンピュータ読み取り可能な記憶媒体をさらに提供する。
【発明の効果】
【０００９】
本願は、グラフ計算技術に基づく請求不正防止方法、装置、機器及び記憶媒体を開示し、医療データの採用に応じて医師患者サブグラフ、医師オーダサブグラフ及び融合マクログラフを生成し、複数のコミュニティ閉ループを含む患者関係ネットワークを生成するように前記融合マクログラフに基づいて前記医師患者サブグラフを投影し、前記患者関係ネットワーク内の任意の２つのノード間の類似度及び各前記コミュニティ閉ループに対応する平均類似度を計算し、前記平均類似度に基づいて保険金詐欺行為を決定する。さらに、保険金詐欺の疑いの高い患者団体を見つけ出し、保険金詐欺を迅速に見分ける上で重要な参考となる。
【図面の簡単な説明】
【００１０】
本願の実施例の技術的解決手段をより明確に説明するために、以下では、実施例の説明において使用する必要がある添付の図面を簡単に説明するが、以下の説明における添付の図面は、本願のいくつかの実施例であり、当業者が創造的な労力を払うことなく、これらの図面から他の添付の図面を得ることができることは自明である。
【図１】本願の実施例によって提供されるグラフ計算技術に基づいてグラフデータを構築するステップの概略的なフローチャートである。
【図２】本願の実施例によって提供される医師患者サブグラフの構造概略図である。
【図３】本願の実施例によって提供される医師オーダサブグラフの構造概略図である。
【図４ａ】本願の実施例によって提供されるサブグラフをマクログラフに融合する原理概略図である。
【図４ｂ】本願の実施例によって提供される融合マクログラフの構造概略図である。
【図５】本願の実施例によって提供されるグラフ計算技術に基づく請求不正防止方法の概略的なフローチャートである。
【図６】図５で提供される請求不正防止方法のサブステップの概略的なフローチャートである。
【図７】本願の実施例によって提供される患者関係ネットワークの概略図である。
【図８】図５で提供される請求不正防止方法のサブステップの概略的なフローチャートである。
【図９】本願の実施例によって提供される医師クラスタリングの結果概略図である。
【図１０】本願の実施例によって提供されるクラスタリング後の患者関係ネットワークの概略図である。
【図１１】本願の実施例によって提供される重み値を更新した後の患者関係ネットワークの概略図である。
【図１２】本願の実施例によって提供される別のグラフ計算技術に基づく請求不正防止方法の概略的なフローチャートである。
【図１３】図１２で提供される請求不正防止方法のサブステップの概略的なフローチャートである。
【図１４】本願の実施例によって提供される医師関係ネットワークの構造概略図である。
【図１５】図１２で提供される請求不正防止方法のサブステップの概略的なフローチャートである。
【図１６】本願の実施例によって提供されるグラフ計算技術に基づく請求不正防止装置の概略ブロック図である。
【図１７】本願の実施例によって提供される別のグラフ計算技術に基づく請求不正防止装置の概略ブロック図である。
【図１８】本願の一実施例によって提供されるコンピュータ機器の構造の概略ブロック図である。
【発明を実施するための形態】
【００１１】
以下では、本願の実施例の図面を参照して、本願の実施例の技術的解決手段を明確かつ完全に説明し、説明された実施例は本願の全ての実施例ではなく、本願の一部の実施例であることは明らかである。本願の実施例に基づいて、当業者が創造的な労力を行なわないで得た他の全ての実施例は、本願の保護の範囲に属する。
【００１２】
図面に示されたフローチャートは単なる例示であり、全てのコンテンツ及び操作／ステップを含む必要はなく、記載された順序で実行される必要もない。例えば、いくつかの操作／ステップは、分解、組み合わせ、又は部分的に統合することもできるので、実際に実行される順序は、状況に応じて変わる可能性がある。
【００１３】
本願の実施例は、グラフ計算技術に基づく請求不正防止方法、装置、コンピュータ機器及び記憶媒体を提供する。グラフ計算技術に基づく請求不正防止方法は、患者及び／又は医師の保険金詐欺行為に使用でき、患者又は医師の保険金詐欺を迅速に発見するための重要な参考となる。
【００１４】
以下、添付の図面に関連して、本願のいくつかの実施形態を詳細に説明する。以下の実施例及び実施例における特徴は、競合することなく相互に組み合わせることができる。
【００１５】
図１を参照すると、図１は、本願の実施例によって提供されるグラフ計算技術に基づいてグラフデータを構築するステップの概略的なフローチャートである。従来のデータベースに記憶されている構造化データに対して、グラフ計算技術を利用して、エンティティとコネクションを切り離し、ノードとエッジにマッピングし、さらにグラフデータに変換してネットワークに記憶するグラフデータ構築方法である。このうち、従来のデータベースは、構造化照会言語（Ｓｔｒｕｃｔｕｒｅｄ  Ｑｕｅｒｙ  Ｌａｎｇｕａｇｅ、ＳＱＬ）データベースなどである。
【００１６】
図１に示すように、グラフ計算技術に基づいてグラフデータを構築する該ステップは、医療データから医療グラフデータを作成し、該医療グラフデータに基づいて請求不正防止を実現する。このうち、グラフ計算技術に基づいてグラフデータを構築する該ステップは、具体的には以下を含む。
【００１７】
Ｓ１０１、医療データを取得し、前記医療データを分類して分類データを得る。
【００１８】
本実施例では、前記分類データは、患者基本情報と、医師基本情報と、医師オーダ情報とを含む。もちろん、他のタイプの情報も含めてもよい。
【００１９】
具体的には、患者基本情報、医師基本情報及び医師オーダ情報はいずれも、テーブルの形態で統計的に提示され、すなわち、患者基本情報テーブル、医師基本情報テーブル及び医師オーダ情報テーブルである。
【００２０】
このうち、患者基本情報テーブルは、患者番号、性別、年齢及び医療保険カード番号などの情報を含み、医師基本情報テーブルは、医師番号及び所属する診療科番号などの情報を含み、医師オーダ情報テーブルは、医師オーダ項目、医師オーダ単価及び医師オーダサブクラスなどの情報を含む。具体的には、テーブル１、テーブル２及びテーブル３に示すとおりである。
【００２１】
2021532483.tif 000003
【００２２】
テーブル１において、ＩＤ１欄には、患者の一意の識別子であり、アラビア数字で表示されてもよいし、他のアルファベットで表示されてもよい。患者番号欄には、患者番号が一連の数字で表示されており、患者の識別にも使用でき、性別欄には、１は男性を表し、２は女性を表し、死亡か否かの欄には、０は死亡していないことを表し、１は死亡していることを表し、医療保険カード番号欄には、１は医療保険カードがないことを示し、残りは正常であることを示し、医療保険カード番号を示すために使用される。
【００２３】
2021532483.tif 000004
【００２４】
テーブル２において、ＩＤ２欄には、医師の一意の識別子であり、アラビア数字で表示されてもよいし、他のアルファベットで表示されてもよい。医師番号欄には、医師番号が一連の数字で表示されており、患者の識別にも使用でき、診療科欄には、診療科番号は、医師が具体的にどの診療科に所属しているかを示す。
【００２５】
2021532483.tif 000005
【００２６】
テーブル３において、ＩＤ３欄には、医師オーダの一意の識別子であり、アラビア数字で表示されてもよいし、他のアルファベットで表示されてもよい。医師オーダ項目欄には、一連の符号化数字で表示されており、異なる医師オーダ項目内容を表し、単価欄には、診察に必要な金額を表し、単位は元であり、医師オーダサブクラス欄には、医師オーダ情報のカテゴリを表す。
【００２７】
なお、上記テーブル中の患者番号、医師番号、診療科又は医師オーダ項目は、病院又は医療機関によって、対応する番号の表示形態が異なる場合がある。
【００２８】
Ｓ１０２、前記分類データの関連関係に基づいて分類関係テーブルを生成する。
【００２９】
このうち、患者基本情報、医師基本情報及び医師オーダ情報から関連情報を抽出して前記分類データのコネクションである関連関係を生成し、前記分類データの関連関係に基づいて患者医師関係テーブルと医師オーダ関係テーブルとを含む分類関係テーブルを生成する。
【００３０】
ここで、関連関係とは、分類データ間のコネクションであり、例えば、患者が医師に診察してもらうことによって形成される患者医師関連関係、医師が患者を診察して作成した医師オーダ情報からさらに生成された医師オーダ関連関係である。さらに例えば、２人の異なる患者が同じ病院に行ったり、同じ医師に診察してもらったりしたことがあり、又は、２人の異なる医師が同じ患者を診察したことがある。これらのコネクションは全て関連関係である。
【００３１】
具体的には、患者基本情報、医師基本情報及び医師オーダ情報から関連情報を抽出し、該関連情報はテーブルの形で表現し、すなわち分類関係テーブルである。本実施例では、該分類関係テーブルは、主に患者医師関係テーブルと、医師オーダ関係テーブルとを含む。
【００３２】
患者医師関係テーブルはテーブル４に示すように、具体的には、診察日時と、料金種別と、請求書番号とを含み、医師オーダ関係テーブルは、テーブル５に示すように、具体的には、医師オーダ出し時間と、医師オーダ出し数と、請求書番号とを含む。
【００３３】
2021532483.tif 000006
【００３４】
テーブル４において、ＩＤ１欄には、患者識別子が表示され、ＩＤ２欄には、医師識別子が表示され、診察日時欄には、患者の診察日時が表示され、料金種別欄には、１は患者が自費で診察を受けることを示し、２、３はいずれも医療保険カードによる精算であり、請求書番号欄には、異なる患者の請求書が請求書番号で表示される。
【００３５】
2021532483.tif 000007
【００３６】
テーブル５において、ＩＤ２欄には、医師識別子が表示され、ＩＤ３欄には、医師オーダが表示され、医師オーダ出し時間欄には、医師が患者にオーダを出した日時を表し、数量には、具体的な数字が医師オーダ数を表し、請求書番号欄には、異なる患者の請求書が請求書番号で表示される。
【００３７】
Ｓ１０３、グラフ計算技術に基づいて、前記分類関係テーブルから２部グラフを生成する。
【００３８】
ここで、前記２部グラフは、医師患者サブグラフと、医師オーダサブグラフとを含む。具体的には、グラフ計算技術に基づいて、前記患者医師関係テーブルから医師患者サブグラフを生成し、医師オーダ関係テーブルから医師オーダサブグラフを生成する。
【００３９】
医師患者サブグラフは、図２に示すように、患者と医師をノードとし、具体的には、患者ＩＤ１と医師ＩＤ２を用いて識別し、医師の所属している診療科番号をノードの属性とし、患者の他の情報を属性とし、例えば診察時間、料金種別などの情報をエッジ属性とする。
【００４０】
医師オーダサブグラフは、図３に示すように、医師と医師オーダをノードとし、具体的には医師ＩＤ２と医師オーダＩＤ３を用いて識別し、医師の所属している診療科番号をノードの属性とし、医師オーダの他の情報を属性とし、例えば医師オーダ出し時間、医師オーダ出し数などの情報をエッジ属性とする。
【００４１】
Ｓ１０４、グラフ計算技術におけるモデル融合技術に基づいて、前記医師患者サブグラフと医師オーダサブグラフとを融合して融合マクログラフを生成する。
【００４２】
具体的には、図４ａ及び図４ｂに示すように、図４ａ及び図４ｂに、グラフ計算技術におけるモデル融合技術の原理を示す。２つのサブグラフ（医師患者サブグラフと医師オーダサブグラフ）の共通ノード、例えば図４ａの破線枠の２つの同じ医師ノード、すなわち医師ノード２と医師ノード３を図４ａで探し、該医師ノードと関連のある他のノード、すなわち患者ノード１、患者ノード３、患者ノード４、医師オーダノード１及び医師オーダノード２を残し、サブグラフの連結を行って融合マクログラフを得る。ここで、融合マクログラフは、図４ｂに示すように、モデル融合技術により医師患者サブグラフと医師オーダサブグラフを融合したマクログラフである。
【００４３】
なお、上記の図２、図３及び図４ｂは、医師患者サブグラフ、医師オーダサブグラフ及び融合マクログラフの形式的な限定を構成しているわけではなく、医師患者サブグラフ、医師オーダサブグラフ及び融合マクログラフノードの数及びノード間のコネクション（エッジ）も実際の状況に応じて決定される。
【００４４】
上記実施例は、グラフ計算技術を利用して医療グラフデータを作成し、具体的には従来のデータベースに記憶されている構造化データに対してエンティティとコネクションを切り離し、ノードとエッジにマッピングし、さらにグラフデータに変換し、そしてネットワークに記憶し、これにより該医療グラフデータに基づいて請求不正防止方法を実現する。
【００４５】
図５を参照すると、図５は、本願の実施例によって提供されるグラフ計算技術に基づく請求不正防止方法の概略的なフローチャートである。該請求不正防止方法は、患者を対象とし、請求不正防止方法によって患者の保険金詐欺、特に患者集団の保険金詐欺行為を見分けることにより、保険金詐欺などの違法犯罪行為を取り締まり、金融安全をよりよく維持する。
【００４６】
図５に示すように、該グラフ計算技術に基づく請求不正防止方法は、具体的には、ステップＳ２０１〜ステップＳ２０５を含む。
【００４７】
Ｓ２０１、グラフ計算技術に基づいて、医療データから医師患者サブグラフ及び医師オーダサブグラフを生成し、前記医師患者サブグラフ及び医師オーダサブグラフから融合マクログラフを生成する。
【００４８】
具体的には、グラフ計算技術に基づいて、前記患者医師関係テーブルから医師患者サブグラフを生成し、医師オーダ関係テーブルから医師オーダサブグラフを生成し、グラフ計算技術におけるモデル融合技術に基づいて、前記医師患者サブグラフと医師オーダサブグラフとを融合して融合マクログラフを生成する。
【００４９】
Ｓ２０２、患者関係ネットワークを生成するように、前記融合マクログラフに基づいて前記医師患者サブグラフを投影する。
【００５０】
ここで、前記患者関係ネットワークは複数の患者及び医師を含む異なるコミュニティを表す複数のコミュニティ閉ループを含む。
【００５１】
一実施例では、図６に示すように、患者関係ネットワークを生成するように、前記融合マクログラフに基づいて前記医師患者サブグラフを投影するステップは、具体的にはサブステップＳ２０２ａ及びＳ２０２ｂを含む。
【００５２】
Ｓ２０２ａ、前記融合マクログラフに基づいて患者間に存在する類似受診行為を決定する。
【００５３】
ここで、類似受診行為とは、医師の患者コミュニティ内にいる複数の患者が同じ医師を訪問したことがあるか否かを意味し、複数の患者が同じ医師を訪問したことがある場合は、複数の患者間に存在する類似受診行為を意味する。
【００５４】
例えば、図４ｂに示すように、融合マクログラフに基づいて患者間に存在する類似受診行為を決定し、具体的には、患者１及び患者３の両方が医師２に診察してもらったことがあり、患者１及び患者４の両方が医師３に診察してもらったことがあり、したがって患者１と患者３及び患者４は類似受診行為を有するが、患者３と患者４が同じ医師に診察してもらったことがないため、類似受診行為はない。
【００５５】
Ｓ２０２ｂ、患者関係ネットワークを生成するように、前記患者間に存在する類似受診行為に基づいて前記医師患者サブグラフを投影する。
【００５６】
具体的には、前記患者間に存在する類似受診行為に基づいて、２人の患者が同じ医師に診察してもらったことがある回数をカウントすることができる。例えば、図２の医師患者サブグラフでは、患者２と患者４は両方とも医師１と医師２の診察を受けたことがあるので、患者２と患者４の受診回数は２回であり、患者３と患者７は両方とも医師４の診察を受けたことがあるので、患者３と患者７の受診回数は１回である。
【００５７】
したがって、患者関係ネットワークを生成するように、グラフ計算技術に基づいて前記医師患者サブグラフを投影し得る。投影によって生成された患者関係ネットワークは図７のようになり、図７には、患者１、患者２、患者３、患者４、患者５、患者６及び患者７の７つのノードが含まれており、患者ノード間の接続線は患者間に存在する類似受診行為を表し、接続線上の数字は重みを表し、該重みは患者間が同じ医師を訪問した受診回数を表し、例えば、患者２と患者４の間が同じ医師を訪問した回数は２回である。
【００５８】
一実施例では、請求不正防止方法の精度を向上させるために、患者関係ネットワークを改善するように医師をクラスタリングする必要がある。これに基づいて、図８に示すように、ステップＳ２０２ｂはサブステップＳ２０２ｂ１〜Ｓ２０２ｂ３を含む。
【００５９】
Ｓ２０２ｂ１、複数の患者関係ネットワークを得るように、前記患者間に存在する類似受診行為に基づいて前記医師患者サブグラフを投影する。Ｓ２０２ｂ２、前記患者関係ネットワーク内の関係する医師をクラスタリングして医師クラスタ関係を得る。Ｓ２０２ｂ３、前記医師クラスタ関係に基づいて、複数の前記患者関係ネットワークを接続して患者関係ネットワークを生成する。
【００６０】
複数の患者関係ネットワークを得るように、前記患者間に存在する類似受診行為に基づいて前記医師患者サブグラフを投影する。例えば、図７に示すように、該グラフには、患者１、患者２、患者４及び患者６からなる患者関係ネットワークと、患者３、患者５及び患者７からなる患者関係ネットワークの２つの患者関係ネットワークが含まれている。
【００６１】
前記患者関係ネットワーク内の関係する医師をクラスタリングして医師クラスタ関係を得ることは、医師の所属している診療科を考慮する必要があり、医師と診療科は多対一のマッピング関係にあるため、診療科の状況に応じて医師をクラスタリングし、医師をクラスタリングした結果を図９に示す。例えば、医師４、医師５、医師８及び医師９は同じ診療科に属しており、医師２、医師３及び医師７は別の診療科に属しており、具体的にどの診療科に属するかは得られた医師クラスタ関係である。
【００６２】
なお、図９の医師クラスタリングには１０人の医師が含まれているので、図７の医師に対してクラスタリングを行っているわけではなく、図９では単に医師クラスタリングについて説明している。図７における医師のクラスタリングについては、上述のクラスタリング方式が参考になる。
【００６３】
前記医師クラスタ関係に基づいて、複数の前記患者関係ネットワークを接続して最終的な患者関係ネットワークを生成し、最終的な患者関係ネットワークを図１０又は図１１に示し、最終的な患者関係ネットワークには複数のコミュニティ閉ループが含まれており、該コミュニティ閉ループは強接続構造（すなわち複数の頂点が１つの閉ループ構造を構成し、かつループ内の任意の２つのノードの間にエッジが存在し、図１０に示すように、１−２−４ループ、２−３−４−５−６ループ及び３−５−７ループの３つの閉ループ構造を含む）であり、異なる閉ループ構造は異なるコミュニティを表し、コミュニティ内の「居住者」はすべて同じ医師（又は同じクラスの医師）を訪問したことがあり、すなわち類似受診行為を有する。
【００６４】
Ｓ２０３、前記患者関係ネットワーク内の任意の２つのノードに対応する患者の属性パラメータに基づいて、前記患者関係ネットワーク内の任意の２つのノード間の類似度を計算する。
【００６５】
ここで、患者関係ネットワーク内の任意の２つのノードに対応する患者の属性パラメータは、特徴属性と、受診行為属性とを含む。特徴属性は患者の年齢を含み、受診行為属性は患者の医師オーダ数と診察費用を含む。
【００６６】
任意の一実施例では、特徴属性及び受診行為属性は、患者の性別、医師オーダのカテゴリなどの他のパラメータも含むことができる。
【００６７】
具体的には、類似度計算式に基づいて、前記患者関係ネットワーク内の任意の２つのノードに対応する患者の特徴属性及び受診行為属性から、前記患者関係ネットワーク内の任意の２つのノード間の類似度を計算する。
【００６８】
ここで、前記類似度計算式は以下のようになる。
2021532483.tif 000008
【００６９】
2021532483.tif 000009
【００７０】
これにより、式１に基づいて、前記患者関係ネットワーク内の任意の２つのノードに対応する患者の特徴属性及び受診行為属性から、前記患者関係ネットワーク内の任意の２つのノード間の類似度を計算することができる。
【００７１】
Ｓ２０４、前記類似度から各前記コミュニティ閉ループに対応する平均類似度を計算する。
【００７２】
具体的には、平均類似度計算式に基づいて、前記類似度から各前記コミュニティ閉ループに対応する平均類似度を計算する。
【００７３】
ここで、前記平均類似度計算式は以下のようになる。
2021532483.tif 000010
【００７４】
2021532483.tif 000011
【００７５】
一実施例では、計算の便宜上、各前記コミュニティ閉ループに対応する平均類似度を計算する前に、前記類似度から前記患者関係ネットワーク内の各エッジに対応する重み値を更新することができる。
【００７６】
具体的には、式１を用いて各コミュニティ内の任意の２人の患者間の類似度計算式を計算し、該計算式１に基づいて図１０の各コミュニティ内の任意の２人の患者間の類似度を計算し、計算された類似度に基づいて図１０の患者関係ネットワーク内の任意の２人の患者間の重み値を更新し、重み更新後の患者関係ネットワークを得て、具体的には図１１に示される。
【００７７】
これに応じて、ステップＳ２０４では、具体的には、平均類似度計算式に基づいて、患者関係ネットワークにおける更新後の重み値から各前記コミュニティ閉ループに対応する平均類似度を計算する。もちろん、同様に式２を用いて平均類似度計算を行う。重み更新後の患者関係ネットワークでは、異なるコミュニティの平均類似度、すなわちコミュニティ行為一致性を定量的に計算することができる。
【００７８】
2021532483.tif 000012
【００７９】
2021532483.tif 000013
【００８０】
Ｓ２０５、前記平均類似度に基づいて保険金詐欺行為を決定する。
【００８１】
具体的には、平均類似度に基づいて全てのコミュニティを順位付けし、順位付けの大きさに応じて疑いの高い保険金詐欺団体を容易に見つけ出すことができ、詐欺のさらなる見分けに重要な参考となる。患者集団の詐欺はよく行為の一致性が高いという典型的な特徴がある。コミュニティクラスタリングによる被疑集団発掘は、主として患者の受診行為によって異なるコミュニティを区分し、コミュニティ内の患者間の受診行為の類似度を用いて該コミュニティの平均類似度を計算することにより、平均類似度に基づいてコミュニティ全体の行為一致性を測り、保険金詐欺行為であるか否かを迅速に確認することができる。
【００８２】
上述の実施例によって提供されるグラフ計算技術に基づく請求不正防止方法は、医療データの採用に応じて医師患者サブグラフ、医師オーダサブグラフ及び融合マクログラフを生成し、複数のコミュニティ閉ループを含む患者関係ネットワークを生成するように前記融合マクログラフに基づいて前記医師患者サブグラフを投影し、前記患者関係ネットワーク内の任意の２つのノード間の類似度及び各前記コミュニティ閉ループに対応する平均類似度を計算し、前記平均類似度に基づいて保険金詐欺行為を決定する。さらに、保険金詐欺の疑いの高い患者団体を見つけ出し、保険金詐欺を迅速に見分ける上で重要な参考となる。
【００８３】
図１２を参照すると、図１２は、本願の実施例によって提供される別のグラフ計算技術に基づく請求不正防止方法のステップの概略的なフローチャートである。該請求不正防止方法は、医師を対象とし、請求不正防止方法によって医師の保険金詐欺を見分けることにより、保険金詐欺などの違法犯罪行為を取り締まり、金融安全をよりよく維持する。
【００８４】
図１２に示すように、該グラフ計算技術に基づく請求不正防止方法は、具体的には、ステップＳ３０１〜ステップＳ３０６を含む。
【００８５】
Ｓ３０１、グラフ計算技術に基づいて、医療データから医師患者サブグラフ及び医師オーダサブグラフを生成し、前記医師患者サブグラフ及び医師オーダサブグラフから融合マクログラフを生成する。
【００８６】
具体的には、グラフ計算技術に基づいて、前記患者医師関係テーブルから医師患者サブグラフを生成し、医師オーダ関係テーブルから医師オーダサブグラフを生成し、グラフ計算技術におけるモデル融合技術に基づいて、前記医師患者サブグラフと医師オーダサブグラフとを融合して融合マクログラフを生成する。
【００８７】
Ｓ３０２、医師関係ネットワークを生成するように、前記融合マクログラフに基づいて前記医師患者サブグラフを投影する。
【００８８】
その中で、患者が保険金を詐取する可能性以外に、医師も自分の影響力を利用して保険金を詐取する可能性があり、主な表現形式は患者訪問数が多いこと、医師オーダ出し数が多いこと、薬を処方する金額が多いことなどである。医師の影響力の重要な要素は医師が受け入れている患者の数、医師のオーダ出し数及び金額を含む。
【００８９】
医師が受け入れている患者の数は、１人の医師が一定期間内に受け入れている患者が多ければ多いほど、該医師が専門分野で影響力を持っていることを示している。医師のオーダ出し数及び金額は、医師１人の仕事量を定量化でき、該医師の影響力を側面から反映している。したがって、医師関係ネットワークを介して医師の影響力を計算し、さらに保険金詐欺行為の有無を見分けることができる。
【００９０】
具体的には、図１３に示すように、患者関係ネットワークを生成するように、前記融合マクログラフに基づいて前記医師患者サブグラフを投影するステップは、サブステップＳ３０２ａ及びＳ３０２ｂを含む。
【００９１】
Ｓ３０２ａ、前記融合マクログラフに基づいて医師間に存在する類似診察行為を決定する。Ｓ３０２ｂ、医師関係ネットワークを生成するように、前記患者間に存在する類似診察行為に基づいて前記医師患者サブグラフを投影する。
【００９２】
このうち、類似診察行為とは、２人の医師が同じ患者を診察したことがあることを指すが、もちろん、同じ家族の患者や、同じコミュニティ内の患者を診察したことがある他の行為でもあり得る。前記患者間に存在する類似診察行為に基づいて、医師関係ネットワークを生成するようにグラフ計算技術を用いて前記医師患者サブグラフを投影し、生成された医師関係ネットワークを図１４に示し、例えば、医師４及び医師３が同じ患者を診察したことがある。
【００９３】
ここで、医師関係ネットワークから医師ネットワークモデルを生成し、該医師ネットワークモデルはＧ＝＜Ｖ，Ｅ＞で表され、Ｖは医師ノード集合を表し、Ｅは２人の医師が同じ患者を診察して形成したエッジを表す。具体的には、１４に示すような医師関係ネットワークである。
【００９４】
Ｓ３０３、前記医師関係ネットワーク内の各ノードの近隣ノードを決定し、前記近隣ノードの前記ノードに対する影響力尺度を計算する。
【００９５】
具体的には、図１５に示すように、前記医師関係ネットワーク内の各ノードの近隣ノードを決定し、前記近隣ノードの前記ノードに対する影響力尺度を計算する前記ステップは、サブステップＳ３０３ａ〜Ｓ３０３ｄを含む。
【００９６】
Ｓ３０３ａ、前記医師関係ネットワーク内の各ノードの近隣ノードを、ノード間のエッジに基づいて決定する。
【００９７】
例えば、図１４では、ノード４は、ノード１、ノード２、ノード３及びノード６との間にエッジが存在しているので、ノード４が４つの近隣ノードを含んでいることが分かり、同様に、ノード１が２つの近隣ノードを含み、ノード２が３つの近隣ノードを含み、ノード３が３つの近隣ノードを含み、ノード５が２つの近隣ノードを含み、ノード６が２つの近隣ノードを含み、及びノード７が２つの近隣ノードを含むことが分かる。
【００９８】
Ｓ３０３ｂ、受け入れ患者数、医師オーダ出しデータ及び医師オーダ出し金額における前記近隣ノードの前記ノードに対する影響程度を計算する。
【００９９】
具体的には、影響程度計算式により、受け入れ患者数、医師オーダ出しデータ及び医師オーダ出し金額における前記近隣ノードの前記ノードに対する影響程度を計算する。ここで、影響程度計算式は３つの式を含み、以下のようになる。
2021532483.tif 000014
【０１００】
2021532483.tif 000015
【０１０１】
Ｓ３０３ｃ、前記影響程度から前記近隣ノードの前記ノードに対する影響率を計算する。
【０１０２】
2021532483.tif 000016
【０１０３】
具体的には、前記影響程度から前記近隣ノードの前記ノードに対する影響率を計算するステップは、前記影響率計算式に基づいて、前記影響程度から前記近隣ノードの前記ノードに対する影響率を計算するステップを含む。
【０１０４】
前記影響率計算式は以下のようになる。
2021532483.tif 000017
【０１０５】
2021532483.tif 000018
【０１０６】
Ｓ３０３ｄ、前記影響率から前記近隣ノードの前記ノードに対する影響力尺度を計算する。
【０１０７】
具体的には、前記影響率から前記近隣ノードの前記ノードに対する影響力尺度を計算する前記ステップは、影響力尺度計算式に基づいて、前記影響率から前記近隣ノードの前記ノードに対する影響力尺度を反復的に計算する。
【０１０８】
ここで、前記影響力尺度計算式は以下のようになる。
2021532483.tif 000019
【０１０９】
2021532483.tif 000020
【０１１０】
本実施例では、減衰係数ｄを０．８５に設定し、全てのノードＤＩＲ値を０．１に初期化し、反復して全ての医師ノードのＤＩＲ値を得ることができる。
【０１１１】
Ｓ３０４、各前記ノードの影響力尺度に基づいて、影響力尺度モデルを構築する。
【０１１２】
具体的には、各前記ノードの影響力尺度に基づいて、影響力尺度モデルを構築するステップは、各前記ノードの影響力尺度に基づいて前記医師関係ネットワーク内の各エッジの影響力重み値を計算するステップと、計算された影響力重み値からノード活性化を決定するための線形閾値モデルを構築するステップと、を含む。
【０１１３】
ここで、影響力最大化問題は、最終的な伝播影響範囲を最大化するように、Ｋ個の初期ノードをどのように選択するかと定義され、医師の影響力尺度（ＤＩＲ値）を計算することで医師の影響力ランキングを得ることができ、ＤＩＲ値の上位のＫ個のノードを初期ノードとして直接選択すると、最終的な影響範囲が最大となる保証はないが、ある診療科の人気が高いため、Ｋ個のノードが同じクラスタ内に集まる可能性が高く、ネットワーク構造の弱い接続ノードを見落としてしまうからである。そのため、ＤＩＲ値の順位付けは人気のある診療科の医師を上位に順位付けしやすいが、影響範囲を最大化することはできない。
【０１１４】
本実施例では、影響範囲が最大化されるＫ個のノードを正確に決定するために、影響力伝播モデル、具体的には線形閾値モデルを構築する。もちろん、独立したカスケードモデルを構築するなど、他のモデルを構築することも可能である。
【０１１５】
医師関係ネットワークでは、影響力の高い医師は近隣医師に影響を与えるが、その影響の伝播は近隣医師ノードが活性化されているか否かに依存する。計算された影響力重み値から線形閾値モデルを構築して影響伝播状況を予測する。
【０１１６】
2021532483.tif 000021
【０１１７】
2021532483.tif 000022
【０１１８】
2021532483.tif 000023
【０１１９】
Ｓ３０５、前記影響力尺度モデルに基づいてシードノード集合を決定する。
【０１２０】
ここで、前記シードノード集合は伝播範囲が最も広いＫ個のシードノードを含み、Ｋは正の整数であり、伝播範囲が最も広いＫ個のシードノードとは、Ｋ個のシードノードの伝播影響範囲が最大化され、他のノードに比べて伝播範囲が広いことを意味する。
【０１２１】
具体的には、前記影響力尺度モデルに基づいてシードノード集合を決定するステップは、貪欲アルゴリズムに基づいて、前記影響力尺度モデルから伝播影響範囲の増分が最大のノードを１ステップごとに選んで循環計算を行い、シードノード集合を得るステップを含む。
【０１２２】
貪欲アルゴリズムを用いて医師関係ネットワークへの影響力最大化アルゴリズムを実現し、伝播方位が最も広いＫ個のシードノードを決定する。ここで、該アルゴリズムのコアステップは、構築された線形閾値モデルに基づいて、貪欲計算を用いて、伝播影響範囲の増分が最大となるノードを１ステップごとに選んで循環計算を行い、最終的にシードノード集合を掘り出す。
【０１２３】
例えば、医師ネットワークＧ＝＜Ｖ，Ｅ＞を定義し、ＳはＫ個のノードを含むシード集合であり、Ｓｖはｖの一次拡散による伝播範囲であり、ＩＳ｛Ｓ｝はシード集合Ｓの最終的な影響範囲である。
【０１２４】
貪欲計算を用いて、最終的にシードノード集合を掘り出した擬似コードは、次のようになる。
入力：医師ネットワークＧ＝＜Ｖ，Ｅ＞
出力：Ｋ個のシードノード
初期化  Ｓ＝φ，Ｒ＝１０００
ｆｏｒ  ｖ  ｉｎ  Ｖ：
ｒｅｔｕｒｎ  ＤＩＲ（ｖ）
ｆｏｒ  ｅｄｇｅ（ｕ，ｖ）  ｉｎ  Ｅ：
ｒｅｔｕｒｎ  ｂｕｖ
ｆｏｒ  ｉ  ｉｎ  ｒａｎｇｅ（Ｋ）：
ｆｏｒ  ｖ  ｉｎ  Ｖ：
ｓｖ＝０
ｆｏｒ  ｊ  ｉｎ  ｒａｎｇｅ（Ｒ）：
ｓｖ  ＋＝  ｜ＩＳ｛ｖ｝｜
ｓｖ＝ｓｖ／Ｒ
ｒｅｔｕｒｎ  Ｓ＝Ｓ｛ａｒｇｖｍａｘ｛ｓｖ｝｝
【０１２５】
伝播影響範囲の増分が最大となるノードを選んで循環計算を行うことにより、最終的には伝播範囲が最も広いＫ個のシードノードを含むシードノード集合をフィードバックする。
【０１２６】
Ｓ３０６、伝播範囲が最も広いＫ個のシードノードから保険金詐欺行為を決定する。
【０１２７】
ここで、医療保険詐欺の事例では、一部の医師は保険金詐欺にかかわっており、医師の影響力伝播の観点から医師関係ネットワークをモデリングし、さらに影響力が高くネットワーク上で最も広く伝播しているＫ個のシードノードを見つけ出し、これらのＫ個のシードノードに対応する医師の行為が保険金詐欺行為である可能性があることから、これらの医師が保険金詐欺医師である可能性があり、医師詐欺を見分ける上で重要な参考となる。
【０１２８】
上述の実施例によって提供されるグラフ計算技術に基づく請求不正防止方法は、医療データの採用に応じて医師患者サブグラフ、医師オーダサブグラフ及び融合マクログラフを生成し、医師関係ネットワークを生成するように前記融合マクログラフに基づいて前記医師患者サブグラフを投影し、かつ該医師関係ネットワークを用いて影響力尺度モデルを構築し、影響力尺度モデルによって保険金詐欺行為を決定する。さらに、保険金詐欺の疑いの高い医師を見つけ出し、保険金詐欺を迅速に見分ける上で重要な参考となる。
【０１２９】
なお、図５及び図１２によって提供される請求不正防止方法は、患者又は医師の保険金詐欺行為を見分けるために単独で使用することが可能である。もちろん、患者と医師の保険金詐欺行為を見分けるためにも併用することができ、保険金詐欺などの違法犯罪行為を取り締まり、金融安全をよりよく維持する。
【０１３０】
例えば、本願の実施例は、さらに、
グラフ計算技術に基づいて、医療データから医師患者サブグラフ及び医師オーダサブグラフを生成し、前記医師患者サブグラフ及び医師オーダサブグラフから融合マクログラフを生成するステップと、複数のコミュニティ閉ループを含む患者関係ネットワーク、及び医師関係ネットワークを生成するように、前記融合マクログラフに基づいて前記医師患者サブグラフを投影するステップと、前記患者関係ネットワーク内の任意の２つのノードに対応する患者の属性パラメータに基づいて、前記患者関係ネットワーク内の任意の２つのノード間の類似度を計算するステップと、前記類似度から各前記コミュニティ閉ループに対応する平均類似度を計算するステップと、前記医師関係ネットワーク内の各ノードの近隣ノードを決定し、前記近隣ノードの前記ノードに対する影響力尺度を計算するステップと、各前記ノードの影響力尺度に基づいて、影響力尺度モデルを構築するステップと、前記影響力尺度モデルに基づいてシードノード集合を決定し、ここで、前記シードノード集合に伝播範囲が最も広いＫ個のシードノードを含み、Ｋが正の整数であるステップと、前記平均類似度及び／又は伝播範囲が最も広いＫ個のシードノードから保険金詐欺行為を決定するステップと、を含む別のグラフ計算技術に基づく請求不正防止方法を提供する。
【０１３１】
図１６を参照すると、図１６は、本願の実施例によってさらに提供されるグラフ計算技術に基づく請求不正防止装置の概略ブロック図である。該請求不正防止装置は、前述したグラフ計算技術に基づく請求不正防止方法を実行するために用いられる。ここで、該請求不正防止装置は、サーバ又は端末に配置され得る。
【０１３２】
ここで、サーバは独立したサーバであってもよいし、サーバクラスタであってもよい。該端末は、携帯電話、タブレット、ノートパソコン、デスクトップパソコン、携帯情報端末、ウエアラブル機器などの電子機器であってもよい。
【０１３３】
図１６に示すように、請求不正防止装置４００は、グラフ生成ユニット４０１と、ネットワーク生成ユニット４０２と、第１の計算ユニット４０３と、第２の計算ユニット４０４と、保険金詐欺決定ユニット４０５とを含む。
【０１３４】
グラフ生成ユニット４０１は、グラフ計算技術に基づいて、医療データから医師患者サブグラフ及び医師オーダサブグラフを生成し、前記医師患者サブグラフ及び医師オーダサブグラフから融合マクログラフを生成するために用いられる。
【０１３５】
ここで、グラフ生成ユニット４０１は、取得分類サブユニット４０１１と、関係テーブル生成サブユニット４０１２と、２部グラフ生成サブユニット４０１３と、マクログラフ生成サブユニット４０１４とを含む。
【０１３６】
具体的には、取得分類サブユニット４０１１は、医療データを取得し、前記医療データを分類して分類データを得るために用いられ、関係テーブル生成サブユニット４０１２は、前記分類データの関連関係に基づいて分類関係テーブルを生成するために用いられ、２部グラフ生成サブユニット４０１３は、グラフ計算技術に基づいて、前記分類関係テーブルから２部グラフを生成するために用いられ、マクログラフ生成サブユニット４０１４は、グラフ計算技術におけるモデル融合技術に基づいて、前記医師患者サブグラフと医師オーダサブグラフとを融合して融合マクログラフを生成するために用いられる。
【０１３７】
ネットワーク生成ユニット４０２は、複数のコミュニティ閉ループを含む患者関係ネットワークを生成するように、前記融合マクログラフに基づいて前記医師患者サブグラフを投影するために用いられる。
【０１３８】
ここで、ネットワーク生成ユニット４０２は、行為決定サブユニット４０２１と、ネットワーク生成サブユニット４０２２とを含み、行為決定サブユニット４０２１は、前記融合マクログラフに基づいて患者間に存在する類似受診行為を決定するために用いられる。ネットワーク生成サブユニット４０２２は、患者関係ネットワークを生成するように、前記患者間に存在する類似受診行為に基づいて前記医師患者サブグラフを投影するために用いられる。
【０１３９】
一実施例では、ネットワーク生成サブユニット４０２２は、具体的には、複数の患者関係ネットワークを得るように、前記患者間に存在する類似受診行為に基づいて、前記医師患者サブグラフを投影することと、前記患者関係ネットワーク内の関係する医師をクラスタリングして医師クラスタ関係を得ることと、患者関係ネットワークを生成するように、前記医師クラスタ関係に基づいて、複数の前記患者関係ネットワークを接続することとに用いられる。
【０１４０】
第１の計算ユニット４０３は、前記患者関係ネットワーク内の任意の２つのノードに対応する患者の属性パラメータに基づいて、前記患者関係ネットワーク内の任意の２つのノード間の類似度を計算するために用いられる。
【０１４１】
具体的には、第１の計算ユニット４０３は、類似度計算式に基づいて、前記患者関係ネットワーク内の任意の２つのノードに対応する患者の特徴属性及び受診行為属性から前記患者関係ネットワーク内の任意の２つのノード間の類似度を計算するために用いられる。
【０１４２】
一実施例では、第１の計算ユニット４０３はさらに、前記類似度に基づいて前記患者関係ネットワーク内の各エッジに対応する重み値を更新するために用いられる。
【０１４３】
第２の計算ユニット４０４は、前記類似度から各前記コミュニティ閉ループに対応する平均類似度を計算するために用いられる。
【０１４４】
具体的には、第２の計算ユニット４０４は、平均類似度計算式に基づいて、前記類似度から各前記コミュニティ閉ループに対応する平均類似度を計算するために用いられる。
【０１４５】
それに応じて、第２の計算ユニット４０４は、平均類似度計算式に基づいて、患者関係ネットワークにおける更新後の重み値から各前記コミュニティ閉ループに対応する平均類似度を計算するために用いられる。
【０１４６】
保険金詐欺決定ユニット４０５は、前記平均類似度に基づいて保険金詐欺行為を決定するために用いられる。
【０１４７】
図１７を参照すると、図１７は、本願の実施例によってさらに提供される別のグラフ計算技術に基づく請求不正防止装置の概略ブロック図である。該請求不正防止装置は、前述したグラフ計算技術に基づく請求不正防止方法を実行するために用いられる。ここで、該請求不正防止装置は、サーバに配置され得る。
【０１４８】
図１７に示すように、該請求不正防止装置５００は、グラフ生成ユニット５０１と、ネットワーク生成ユニット５０２と、影響計算ユニット５０３と、モデル構築ユニット５０４と、ノード決定ユニット５０５と、保険金詐欺決定ユニット５０６とを含む。
【０１４９】
グラフ生成ユニット５０１は、グラフ計算技術に基づいて、医療データから医師患者サブグラフ及び医師オーダサブグラフを生成し、前記医師患者サブグラフ及び医師オーダサブグラフから融合マクログラフを生成するために用いられる。
【０１５０】
ここで、一実施例では、グラフ生成ユニット５０１は、取得分類サブユニット５０１１と、関係テーブル生成サブユニット５０１２と、２部グラフ生成サブユニット５０１３と、マクログラフ生成サブユニット５０１４とを含む。
【０１５１】
具体的には、取得分類サブユニット５０１１は、医療データを取得し、前記医療データを分類して分類データを得るために用いられ、関係テーブル生成サブユニット５０１２は、前記分類データの関連関係に基づいて分類関係テーブルを生成するために用いられ、２部グラフ生成サブユニット５０１３は、グラフ計算技術に基づいて、前記分類関係テーブルから２部グラフを生成するために用いられ、マクログラフ生成サブユニット５０１４は、グラフ計算技術におけるモデル融合技術に基づいて、前記医師患者サブグラフと医師オーダサブグラフとを融合して融合マクログラフを生成するために用いられる。
【０１５２】
ネットワーク生成ユニット５０２は、医師関係ネットワークを生成するように、前記融合マクログラフに基づいて前記医師患者サブグラフを投影するために用いられる。
【０１５３】
具体的には、一実施例では、ネットワーク生成ユニット５０２は、具体的には、前記融合マクログラフに基づいて医師間に存在する類似診察行為を決定することと、医師関係ネットワークを生成するように、前記患者間に存在する類似診察行為に基づいて前記医師患者サブグラフを投影することとに用いられる。
【０１５４】
影響計算ユニット５０３は、前記医師関係ネットワーク内の各ノードの近隣ノードを決定し、前記近隣ノードの前記ノードに対する影響力尺度を計算するために用いられる。
【０１５５】
ここで、一実施例では、影響計算ユニット５０３は、ノード決定サブユニット５０３１と、程度計算サブユニット５０３２と、影響率計算サブユニット５０３３と、尺度計算サブユニット５０３４とを含む。
【０１５６】
具体的には、ノード決定サブユニット５０３１は、前記医師関係ネットワーク内の各ノードの近隣ノードを、ノード間のエッジに基づいて決定するために用いられ、程度計算サブユニット５０３２は、受け入れ患者数、医師オーダ出しデータ及び医師オーダ出し金額における前記近隣ノードの前記ノードに対する影響程度を計算するために用いられ、影響率計算サブユニット５０３３は、前記影響程度から前記近隣ノードの前記ノードに対する影響率を計算するために用いられ、尺度計算サブユニット５０３４は、前記影響率から前記近隣ノードの前記ノードに対する影響力尺度を計算するために用いられる。
【０１５７】
モデル構築ユニット５０４は、各前記ノードの影響力尺度に基づいて、影響力尺度モデルを構築するために用いられる。
【０１５８】
具体的には、一実施例では、モデル構築ユニット５０４は、具体的には、各前記ノードの影響力尺度に基づいて前記医師関係ネットワーク内の各エッジの影響力重み値を計算することと、計算された影響力重み値からノード活性化を決定するための線形閾値モデルを構築することとに用いられる。
【０１５９】
ノード決定ユニット５０５は、前記影響力尺度モデルに基づいてシードノード集合を決定するために用いられ、ここで、前記シードノード集合は伝播範囲が最も広いＫ個のシードノードを含み、Ｋは正の整数である。
【０１６０】
具体的には、ノード決定ユニット５０５は、具体的には、貪欲アルゴリズムに基づいて、前記影響力尺度モデルから伝播影響範囲の増分が最大のノードを１ステップごとに選んで循環計算を行い、シードノード集合を得るために用いられる。
【０１６１】
保険金詐欺決定ユニット５０６は、伝播範囲が最も広いＫ個のシードノードから保険金詐欺行為を決定するために用いられる。
【０１６２】
説明の便宜性や簡潔性のために、上述したグラフ計算技術に基づく請求不正防止装置及び各ユニットの具体的な動作プロセスが、前述したグラフ計算技術に基づく請求不正防止方法の実施例における対応するプロセスを参照できることを当業者は明確に理解できることに留意されたく、ここでは説明を省略する。
【０１６３】
上述した請求不正防止装置は、図１８に示すようなコンピュータ機器上で動作可能なコンピュータプログラムの形態で実装することができる。
【０１６４】
図１８を参照すると、図１８は、本願の実施例によって提供されるコンピュータ機器の構造の概略ブロック図である。該コンピュータ機器は、サーバ又は端末であり得る。
【０１６５】
図１８を参照すると、該コンピュータ機器は、システムバスを介して接続されたプロセッサと、メモリと、ネットワークインタフェースと、を含み、ここで、メモリは、不揮発性記憶媒体と内部メモリとを含み得る。
【０１６６】
不揮発性記憶媒体は、オペレーティングシステム及びコンピュータプログラムを記憶できる。該コンピュータプログラムは、実行されると、プロセッサに請求不正防止方法のいずれかを実行させることができるプログラム命令を含む。
【０１６７】
プロセッサは、計算及び制御能力を提供し、コンピュータ機器全体の動作を支援するために使用される。
【０１６８】
内部メモリは、不揮発性記憶媒体内のコンピュータプログラムの動作環境を提供し、該コンピュータプログラムがプロセッサによって実行されると、プロセッサに請求不正防止方法のいずれかを実行させることができる。
【０１６９】
該ネットワークインタフェースは、割り当てられたタスクの送信などのネットワーク通信を行うために使用される。当業者に理解されるように、図１８に示された構造は、本願の手段に関連する部分的な構造のブロック図にすぎず、本願の手段が適用されるコンピュータ機器を限定するものではなく、具体的なコンピュータ機器は、図示する数よりも多くの又は少ない構成要素を含むことができるか、いくつかの構成要素を組み合わせることができるか、又は異なる構成要素の配置を有することができる。
【０１７０】
プロセッサは中央処理装置（Ｃｅｎｔｒａｌ  Ｐｒｏｃｅｓｓｉｎｇ  Ｕｎｉｔ、ＣＰＵ）であってもよく、該プロセッサは他の汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）又は他のプログラマブル論理デバイス、ディスクリート・ゲート、又はトランジスタ論理デバイス、ディスクリート・ハードウェア・コンポーネントなどであってもよいことが理解されるべきである。ここで、汎用プロセッサは、マイクロプロセッサであってもよく、又は、該プロセッサは、任意の従来のプロセッサなどであってもよい。
【０１７１】
本願の実施例では、プログラム命令を含むコンピュータプログラムを記憶したコンピュータ読み取り可能な記憶媒体をさらに提供し、前記プロセッサは、前記プログラム命令を実行して、本願の実施例によって提供されるグラフ計算技術に基づく請求不正防止方法のいずれかを実現する。
【０１７２】
ここで、前記コンピュータ読み取り可能な記憶媒体は、前述した実施例に記載のコンピュータ機器の内部記憶ユニットであってもよく、例えば前記コンピュータ機器のハードディスクやメモリである。前記コンピュータ読み取り可能な記憶媒体は、前記コンピュータ機器の外部記憶機器であってもよく、例えば前記コンピュータ機器上に搭載されているプラグインハードディスク、スマートメディアカード（Ｓｍａｒｔ  Ｍｅｄｉａ(登録商標)  Ｃａｒｄ、ＳＭＣ）、セキュアデジタル（Ｓｅｃｕｒｅ  Ｄｉｇｉｔａｌ、ＳＤ）カード、フラッシュメモリカード（Ｆｌａｓｈ  Ｃａｒｄ）などであってもよい。
【０１７３】
上記は、本願の具体的な実施形態のみであるが、本願の保護範囲はこれに限定されるものではなく、当業者であれば、本願に開示された技術的範囲内において、様々な等価修正又は置換が容易に想到され、これらの修正又は置換は、本願の保護範囲内に含まれるべきである。したがって、本願の保護範囲は、特許請求の範囲の保護範囲に準ずるものとする。
【図１】
2021532483.tif 000028
【図２】
2021532483.tif 000029
【図３】
2021532483.tif 000030
【図４ａ】
2021532483.tif 000031
【図４ｂ】
2021532483.tif 000032
【図５】
2021532483.tif 000033
【図６】
2021532483.tif 000034
【図７】
2021532483.tif 000035
【図８】
2021532483.tif 000036
【図９】
2021532483.tif 000037
【図１０】
2021532483.tif 000038
【図１１】
2021532483.tif 000039
【図１２】
2021532483.tif 000040
【図１３】
2021532483.tif 000041
【図１４】
2021532483.tif 000042
【図１５】
2021532483.tif 000043
【図１６】
2021532483.tif 000044
【図１７】
2021532483.tif 000045
【図１８】
2021532483.tif 000046
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
グラフ計算技術に基づいて、医療データから医師患者サブグラフ及び医師オーダサブグラフを生成し、前記医師患者サブグラフ及び医師オーダサブグラフから融合マクログラフを生成するステップと、
複数のコミュニティ閉ループを含む患者関係ネットワークを生成するように、前記融合マクログラフに基づいて前記医師患者サブグラフを投影するステップと、
前記患者関係ネットワーク内の任意の２つのノードに対応する患者の属性パラメータに基づいて、類似度計算式を用いて前記患者関係ネットワーク内の任意の２つのノード間の類似度を計算するステップと、
平均類似度計算式に基づいて、前記類似度から各前記コミュニティ閉ループに対応する平均類似度を計算するステップと、
前記平均類似度に基づいて保険金詐欺行為を決定するステップと、を含み、
ここで、前記類似度計算式は以下のようになり、
2021532483.tif 000047
【請求項２】
グラフ計算技術に基づいて、医療データから医師患者サブグラフ及び医師オーダサブグラフを生成し、前記医師患者サブグラフ及び医師オーダサブグラフから融合マクログラフを生成する前記ステップは、
医療データを取得し、前記医療データを分類して分類データを得るステップと、
前記分類データの関連関係に基づいて患者医師関係テーブルと医師オーダ関係テーブルとを含む分類関係テーブルを生成するステップと、
グラフ計算技術に基づいて、前記分類関係テーブルから医師患者サブグラフと医師オーダサブグラフとを含む２部グラフを生成するステップと、
グラフ計算技術におけるモデル融合技術に基づいて、前記医師患者サブグラフと医師オーダサブグラフとを融合して融合マクログラフを生成するステップと、を含む、請求項１に記載の請求不正防止方法。
【請求項３】
患者関係ネットワークを生成するように、前記融合マクログラフに基づいて前記医師患者サブグラフを投影する前記ステップは、
前記融合マクログラフに基づいて患者間に存在する類似受診行為を決定するステップと、
患者関係ネットワークを生成するように、前記患者間に存在する類似受診行為に基づいて前記医師患者サブグラフを投影するステップと、を含む、請求項１又は２に記載の請求不正防止方法。
【請求項４】
患者関係ネットワークを生成するように、前記患者間に存在する類似受診行為に基づいて前記医師患者サブグラフを投影する前記ステップは、
複数の患者関係ネットワークを得るように、前記患者間に存在する類似受診行為に基づいて、前記医師患者サブグラフを投影するステップと、
前記患者関係ネットワーク内の関係する医師をクラスタリングして医師クラスタ関係を得るステップと、
患者関係ネットワークを生成するように、前記医師クラスタ関係に基づいて、複数の前記患者関係ネットワークを接続するステップと、を含む、請求項３に記載の請求不正防止方法。
【請求項５】
前記患者関係ネットワーク内の任意の２つのノード間の類似度を計算する前記ステップは、
類似度計算式に基づいて、前記患者関係ネットワーク内の任意の２つのノードに対応する患者の特徴属性及び受診行為属性から前記患者関係ネットワーク内の任意の２つのノード間の類似度を計算するステップを含む、請求項１に記載の請求不正防止方法。
【請求項６】
前記患者関係ネットワーク内の任意の２つのノード間の類似度を計算する前記ステップの後、前記類似度に基づいて前記患者関係ネットワーク内の各エッジに対応する重み値を更新するステップをさらに含み、
前記類似度から各前記コミュニティ閉ループに対応する平均類似度を計算する前記ステップは、平均類似度計算式に基づいて、患者関係ネットワークにおける更新後の重み値から各前記コミュニティ閉ループに対応する平均類似度を計算するステップを含む、請求項５に記載の請求不正防止方法。
【請求項７】
メモリと、プロセッサと、を含むコンピュータ機器であって、
前記メモリは、コンピュータプログラムを記憶するために用いられ、
前記プロセッサは、前記コンピュータプログラムを実行し、かつ前記コンピュータプログラムを実行するときに、
グラフ計算技術に基づいて、医療データから医師患者サブグラフ及び医師オーダサブグラフを生成し、前記医師患者サブグラフ及び医師オーダサブグラフから融合マクログラフを生成するステップと、
複数のコミュニティ閉ループを含む患者関係ネットワークを生成するように、前記融合マクログラフに基づいて前記医師患者サブグラフを投影するステップと、
前記患者関係ネットワーク内の任意の２つのノードに対応する患者の属性パラメータに基づいて、類似度計算式を用いて前記患者関係ネットワーク内の任意の２つのノード間の類似度を計算するステップと、
平均類似度計算式に基づいて、前記類似度から各前記コミュニティ閉ループに対応する平均類似度を計算するステップと、
前記平均類似度に基づいて保険金詐欺行為を決定するステップと、を実現するために用いられ、
ここで、前記類似度計算式は以下のようになり、
2021532483.tif 000048
【請求項８】
前記プロセッサによって実現される、グラフ計算技術に基づいて、医療データから医師患者サブグラフ及び医師オーダサブグラフを生成し、前記医師患者サブグラフ及び医師オーダサブグラフから融合マクログラフを生成する前記ステップは、
医療データを取得し、前記医療データを分類して分類データを得るステップと、
前記分類データの関連関係に基づいて患者医師関係テーブルと医師オーダ関係テーブルとを含む分類関係テーブルを生成するステップと、
グラフ計算技術に基づいて、前記分類関係テーブルから医師患者サブグラフと医師オーダサブグラフとを含む２部グラフを生成するステップと、
グラフ計算技術におけるモデル融合技術に基づいて、前記医師患者サブグラフと医師オーダサブグラフとを融合して融合マクログラフを生成するステップと、を含む、請求項７に記載のコンピュータ機器。
【請求項９】
前記プロセッサによって実現される、患者関係ネットワークを生成するように、前記融合マクログラフに基づいて前記医師患者サブグラフを投影する前記ステップは、
前記融合マクログラフに基づいて患者間に存在する類似受診行為を決定するステップと、
患者関係ネットワークを生成するように、前記患者間に存在する類似受診行為に基づいて前記医師患者サブグラフを投影するステップと、を含む、請求項７又は８に記載のコンピュータ機器。
【請求項１０】
前記プロセッサによって実現される、患者関係ネットワークを生成するように、前記患者間に存在する類似受診行為に基づいて前記医師患者サブグラフを投影する前記ステップは、
複数の患者関係ネットワークを得るように、前記患者間に存在する類似受診行為に基づいて、前記医師患者サブグラフを投影するステップと、
前記患者関係ネットワーク内の関係する医師をクラスタリングして医師クラスタ関係を得るステップと、
患者関係ネットワークを生成するように、前記医師クラスタ関係に基づいて、複数の前記患者関係ネットワークを接続するステップと、を含む、請求項９に記載のコンピュータ機器。
【請求項１１】
前記プロセッサによって実現される、前記患者関係ネットワーク内の任意の２つのノード間の類似度を計算する前記ステップは、
類似度計算式に基づいて、前記患者関係ネットワーク内の任意の２つのノードに対応する患者の特徴属性及び受診行為属性から前記患者関係ネットワーク内の任意の２つのノード間の類似度を計算するステップを含む、請求項７に記載のコンピュータ機器。
【請求項１２】
前記プロセッサによって実現される、前記患者関係ネットワーク内の任意の２つのノード間の類似度を計算する前記ステップの後のステップは、前記類似度に基づいて前記患者関係ネットワーク内の各エッジに対応する重み値を更新するステップをさらに含み、
前記プロセッサによって実現される、前記類似度から各前記コミュニティ閉ループに対応する平均類似度を計算する前記ステップは、平均類似度計算式に基づいて、患者関係ネットワークにおける更新後の重み値から各前記コミュニティ閉ループに対応する平均類似度を計算するステップを含む、請求項１１に記載のコンピュータ機器。
【請求項１３】
コンピュータ読み取り可能な記憶媒体であって、前記コンピュータ読み取り可能な記憶媒体にコンピュータプログラムが記憶されており、前記コンピュータプログラムがプロセッサによって実行されると、
グラフ計算技術に基づいて、医療データから医師患者サブグラフ及び医師オーダサブグラフを生成し、前記医師患者サブグラフ及び医師オーダサブグラフから融合マクログラフを生成するステップと、
複数のコミュニティ閉ループを含む患者関係ネットワークを生成するように、前記融合マクログラフに基づいて前記医師患者サブグラフを投影するステップと、
前記患者関係ネットワーク内の任意の２つのノードに対応する患者の属性パラメータに基づいて、類似度計算式を用いて前記患者関係ネットワーク内の任意の２つのノード間の類似度を計算するステップと、
平均類似度計算式に基づいて、前記類似度から各前記コミュニティ閉ループに対応する平均類似度を計算するステップと、
前記平均類似度に基づいて保険金詐欺行為を決定するステップと、を前記プロセッサに実現させ、
ここで、前記類似度計算式は以下のようになり、
2021532483.tif 000049
【請求項１４】
前記プロセッサによって実現される、グラフ計算技術に基づいて、医療データから医師患者サブグラフ及び医師オーダサブグラフを生成し、前記医師患者サブグラフ及び医師オーダサブグラフから融合マクログラフを生成する前記ステップは、
医療データを取得し、前記医療データを分類して分類データを得るステップと、
前記分類データの関連関係に基づいて患者医師関係テーブルと医師オーダ関係テーブルとを含む分類関係テーブルを生成するステップと、
グラフ計算技術に基づいて、前記分類関係テーブルから医師患者サブグラフと医師オーダサブグラフとを含む２部グラフを生成するステップと、
グラフ計算技術におけるモデル融合技術に基づいて、前記医師患者サブグラフと医師オーダサブグラフとを融合して融合マクログラフを生成するステップと、を含む、請求項１３に記載のコンピュータ読み取り可能な記憶媒体。
【請求項１５】
前記プロセッサによって実現される、患者関係ネットワークを生成するように、前記融合マクログラフに基づいて前記医師患者サブグラフを投影する前記ステップは、
前記融合マクログラフに基づいて患者間に存在する類似受診行為を決定するステップと、
患者関係ネットワークを生成するように、前記患者間に存在する類似受診行為に基づいて前記医師患者サブグラフを投影するステップと、を含む、請求項１３又は１４に記載のコンピュータ読み取り可能な記憶媒体。
【手続補正２】
【補正対象書類名】図面
【補正対象項目名】図８
【補正方法】変更
【補正の内容】
【図８】
2021532483.tif 000050
【国際調査報告】
2021532483.tif 000051
2021532483.tif 000052
2021532483.tif 000053
2021532483.tif 000054